(57)【特許請求の範囲】
【請求項１】
外箱内に配設された水槽と、
この水槽内にほぼ水平方向に指向する軸を中心に回転可能に配設され、胴部に多数の脱水孔を有するドラムと、
このドラムの胴部に、当該胴部に形成された開口部を開閉するように設けられたドラム蓋と、
前記水槽の上部に、当該水槽に形成された開口部を開閉するように設けられた内蓋と、
前記水槽の開口部周縁部に前記内蓋との間を水密にシールするように設けられたパッキンとを備えたドラム式洗濯機において、
前記パッキンに、前記水槽の内外方向に複数段となるように複数段のリップを設け、前記ドラムの胴部において、前記パッキンの各リップと前記内蓋との接触部に対応する部分には前記脱水孔を形成しない構成としたことを特徴とするドラム式洗濯機。
【請求項２】
前記ドラムの胴部において、前記パッキンの各リップと前記内蓋との接触部に対応する部分の内側と外側には脱水孔を形成していることを特徴とする請求項１記載のドラム式洗濯機。
【発明の詳細な説明】
【技術分野】
【０００１】
本発明は、ドラムを収容する水槽の上部に内蓋を有する、いわゆるトップオープンタイプのドラム式洗濯機に関する。
【背景技術】
【０００２】
従来、ドラム式洗濯機においては、洗濯物出入口と、これを開閉する扉との間に、これらの間を水密にシールするためのパッキンが設けられている。この場合、パッキンは洗濯物出入口側または扉側に取り付けられていて、このパッキンには、相手側に接触するひれ状のリップが設けられている（例えば、特許文献１、特許文献２参照）。この場合、パッキンのリップは１段のみである。
【特許文献１】特開平１０−３２８４７３号公報（図３）
【特許文献２】特開２００１−１６２０８６号公報（図１）
【発明の開示】
【発明が解決しようとする課題】
【０００３】
ところで、ドラム式洗濯機においては、トップオープンタイプと呼ばれるものがある。このものは、外箱内に配設された水槽の上部に内蓋を設け、水槽内に回転可能に配設されたドラムの胴部にドラム蓋を設け、さらに、外箱の上部に設けられたトップカバーに、外蓋となる洗濯蓋を設けた構成となっている。この場合、水槽の開口部側または内蓋側にパッキンを設け、このパッキンを相手側に接触させることにより、これらの間を水密にシールする構成となっている。
【０００４】
ところが、このようなタイプのドラム式洗濯機においては、ドラムの回転に伴う遠心力に伴い、水槽の開口部と内蓋との間の接触部に水が浸入し易いという事情がある。このため、上記したようにパッキンのリップが１段のみでは、シール性能が一層問題になるものであった。
【０００５】
本発明は上記事情に鑑みてなされたものであり、その目的は、いわゆるトップオープンタイプのドラム式洗濯機において、水槽の開口部とこの開口部を開閉する内蓋との間のシール性能の向上を図ることができるドラム式洗濯機を提供するにある。
【課題を解決するための手段】
【０００６】
上記した目的を達成するために、請求項１の発明は、外箱内に配設された水槽と、この水槽内にほぼ水平方向に指向する軸を中心に回転可能に配設され、胴部に多数の脱水孔を有するドラムと、このドラムの胴部に、当該胴部に形成された開口部を開閉するように設けられたドラム蓋と、前記水槽の上部に、当該水槽に形成された開口部を開閉するように設けられた内蓋と、前記水槽の開口部周縁部に前記内蓋との間を水密にシールするように設けられたパッキンとを備えたドラム式洗濯機において、前記パッキンに、前記水槽の内外方向に複数段となるように複数段のリップを設け、前記ドラムの胴部において、前記パッキンの各リップと前記内蓋との接触部に対応する部分には前記脱水孔を形成しない構成としたことを特徴とする。
【発明の効果】
【０００７】
上記した本発明によれば、水槽の上部に内蓋を有した、いわゆるトップオープンタイプのドラム式洗濯機において、水槽の開口部周縁部と内蓋との間に設けられたパッキンのリップは、水槽の内外方向において複数段で相手側に接触するから、リップが１段のみの場合に比べてシール性能を向上させることが可能になる。また、ドラムの胴部において、パッキンの各リップと内蓋との接触部に対応する部分には脱水孔を形成しない構成としたことにより、ドラム胴部の脱水孔から出た水が、パッキンのリップと内蓋との接触部に直接当たり難くなるため、その接触部に水が浸入し難くなる。
【発明を実施するための最良の形態】
【０００８】
以下、本発明の一実施例について図面を参照して説明する。
まず、図４には、本発明を適用したトップオープンタイプのドラム式洗濯機の外観斜視図が示されている。この図４において、外箱主体部１は、左右両側面部と背面部とを有し、上から見てほぼコ字形をなしている。外箱主体部１の前面部には、前蓋２が取り付けられている。これら外箱主体部１と前蓋２とにより、矩形箱状をなす外箱３を構成している。
【０００９】
外箱３の上部には、トップカバー４が装着されている。このトップカバー４には、洗濯物出入口５が形成されていると共に、この洗濯物出入口５を開閉する洗濯蓋６が設けられている。この洗濯蓋６は、外蓋として機能するもので、前蓋部６ａと後蓋部６ｂとを折り曲げ可能に連結した二つ折りタイプの構成となっていて、後蓋部６ｂの後端部がトップカバー４に枢支されている。トップカバー４の右前部には、操作パネル７が設けられている。
【００１０】
図３は、上記外箱３とトップカバー４部分を取り除いた状態で示した内部構造が示されている。この図３において、水槽１０はドラム状をなしていて、この水槽１０内に、ドラム１１がほぼ水平方向に指向する軸１２を中心に回転可能に配設されている。このドラム１１は、図示しないドラム用モータにより回転駆動されるようになっている。
【００１１】
ドラム１１は、図１及び図２に示すように、円筒状をなす胴部１３と、この胴部１３の軸方向両側に配置された側板１４（図１、図２には片側のみ示す）とを組み合わせて構成されている。胴部１３には多数の脱水孔１５，１６が形成され、側板１４の外面にはバランサー１７が取り付けられている。また、胴部１３の１箇所には、洗濯物出し入れ用の開口部（図示せず）が形成されていると共に、この開口部を開閉するドラム蓋１８（図３参照）が開閉可能に設けられている。
【００１２】
上記水槽１０は、図１及び図２に示すように、水槽胴部２０と、この水槽胴部２０の軸方向両側に配置された水槽側板２１（図１、図２には片側のみ示す）とを組み合わせて構成されている。水槽１０の上部には矩形状の開口部２２が形成されていて、この開口部２２の周縁部にパッキン取付枠２３が取り付けられていると共に、このパッキン取付枠２３に、弾性を有する矩形枠状のパッキン２４が取り付けられている。また、水槽１０の上部には、その開口部２２を開閉する内蓋２５が設けられている。この内蓋２５は、後端部がヒンジ部２６を介して水槽１０の上部に枢支されていて、前部に設けられたロック機構２７により閉鎖状態にロックされると共に、そのロックの解除が可能な構成となっている。
【００１３】
内蓋２５は、内板２９と外板３０とを組み合わせて中空状に構成されていて、内外方向に比較的厚くなった構成となっている。内蓋２５の下面側となる内板２９の外周縁部には、下面側が開口した逆Ｕ字状をなす水返し部３１が枠状に形成されている。また、この水返し部３１より内側に位置させて、内板２９の下面に、下向きのリブ３２が突設されていると共に、このリブ３２のさらに内側に位置させて、下面が開口した溝部３３が形成されている。
【００１４】
ここで、内蓋２５の側面において、水返し部３１の外側面を第１の被接触面３４、この第１の被接触面３４の内側に存する側面を第２の被接触面３５と称する。これら第１及び第２の被接触面３４，３５は、ほぼ垂直面となっている。また、内板２９の下面において、リブ３２の外側に位置する部分を第３の被接触面３６と称する。これら第１〜第３の被接触面３４〜３６は、内蓋２５にあって水の浸入方向である内外方向（図１の矢印Ａ方向）と交差する方向に段差をもって存しており、異なった面となっている。
【００１５】
次に、上記パッキン２４について、主に図１及び図２を参照して詳述する。パッキン２４は、パッキン取付枠２３の上面に沿うように配置された平坦な上面部２４ａと、この上面部２４ａから垂下した第１の側面部２４ｂと、この第１の側面部２４ｂの下端に連なり上面部２４ａとほぼ平行な段部２４ｃと、この段部２４ｃから垂下し第１の側面部２４ｂとほぼ平行な第２の側面部２４ｄとを一体に有した階段状をなしている。
【００１６】
そして、上面部２４ａの外周部には、上向きの突条部４０が枠状に設けられている。この突条部４０は、内蓋２５の閉鎖状態で、その内蓋２５の外側に位置される。第１の側面部２４ｂには、上下方向の中間部に位置させて第１のリップ４１が枠状に設けられている。この第１のリップ４１は、内蓋２５の閉鎖方向である下方に向かって下降傾斜していて、内蓋２５の閉鎖状態で、図１に示すように第１の被接触面３４に斜めから接触する構成となっている。
【００１７】
第２の側面部２４ｄには、上下方向の中間部に位置させて第２のリップ４２が枠状に設けられている。この第２のリップ４２は、水槽１０の開口部２２に沿って側方へ張り出していて、内蓋２５の閉鎖状態で、図１に示すように、ほぼ垂直面となる第２の被接触面３５に対して直交する方向から接触する構成となっている。
【００１８】
第２の側面部２４ｄの下端部には、第３のリップ４３が枠状に設けられている。この第３のリップ４３は、第２のリップ４２とほぼ平行な状態で内方に向けて張り出していると共に、先端部４３ａが上方に向けて突出していて、内蓋２５の閉鎖状態で、図１に示すように、内蓋２５の下面となる第３の被接触面３６を下方から覆うように、当該第３の被接触面３６とオーバーラップすると共に、先端部４３ａが第３の被接触面３６に線接触する構成となっている。
【００１９】
上記ドラム１１の胴部１３にあって、図１に示すように、パッキン２４の第１〜第３のリップ４１〜４３と内蓋２５との接触部に対応する部分１３ａには脱水孔は形成されておらず、その接触部の内側（図１において左側）には脱水孔１５が形成され、また、その接触部の外側（図１において右側）には脱水孔１６が形成されている。
【００２０】
上記構成において、ドラム１１内に洗濯物を入れたり、出したりする場合には、外蓋となる洗濯蓋６を開放すると共に、図３に示すように内蓋２５を開放させ、さらにドラム蓋１８を開放させた状態で行う。洗濯運転や乾燥運転は、上記洗濯蓋６、内蓋２５及びドラム蓋１８をそれぞれ閉鎖した状態で行う。
【００２１】
ここで、内蓋２５を閉鎖した状態では、図１に示すように、パッキン２４に水槽１０の内外方向Ａに３段となるように設けられた第１〜第３のリップ４１〜４３が閉鎖状態の内蓋２５の第１〜第３の被接触面３４〜３６に接触することで、水槽１０と内蓋２５との間が水密にシールされる。
【００２２】
この場合、第１〜第３のリップ４１〜４３は、水槽１０の内外方向Ａに３段となるように設けられているから、リップが１段のみの場合に比べてシール性能を一層向上できる。また、これら第１〜第３のリップ４１〜４３は、内蓋２５にあって水の浸入方向となる内外方向Ａと交差する方向に違う面となる第１〜第３の被接触面３４〜３６に接触する構成となっているから、シール性能を一層向上できる。
【００２３】
第１〜第３のリップ４１〜４３のうち、最も外方側に位置した第１のリップ４１は、当該第１のリップ４１よりも内方側に位置した第２及び第３のリップ４２，４３よりも、水槽１０の開口部２２から外側へ遠ざかった位置に配置しているので、洗濯物を出し入れする際に洗濯物がその第１のリップ４１に当たり難く、当該第１のリップ４１が変形し難く、耐久性を向上できる。また、その第１のリップ４１は、内蓋２５の閉鎖方向に沿って下降傾斜しているので、内蓋２５を閉じる際にその第１のリップ４１による抵抗が小さく、内蓋２５を閉じ易くできる。
【００２４】
第１〜第３のリップ４１〜４３のうち、中間に位置する第２のリップ４２は、内蓋２５のほぼ垂直面となる第２の被接触面３５に対してほぼ直交する方向から接触するように、水槽１０の開口部２２に沿って側方へ張り出した構成となっているから、洗濯物を出し入れする際に洗濯物がその第２のリップ４２に触れても、その第２のリップ４２は洗濯物の出し入れに従いやすくて変形し難く、耐久性が低下することを極力防止できる。
【００２５】
第１〜第３のリップ４１〜４３のうち、最も内方側に位置した第３のリップ４３は、内蓋２５の下面となる第３の被接触面３６を下方から覆うように当該第３の被接触面３６とオーバーラップする構成であるから、この第３のリップ４３により、水が水槽１０の内外方向Ａの外方側へ進むことを極力防止することができ、シール性能を一層向上できる。また、その第３のリップ４３は、先端部４３ａが第３の被接触面３６に線接触する構成としているので、その第３のリップ４３は、内蓋２５やパッキン２４のゆがみなどの影響を受け難く、シール性を確保できる。
【００２６】
内蓋２５の下面において、第３のリップ４３より内側（図１において左側）に位置させてリブ３２を設けているので、内蓋２５の下面に沿って流れる水が第３のリップ４３側（図１の矢印Ｂ参照）へ進むことが上記リブ３２によって阻止されるようになり、水が第３のリップ４３側へ入り難くなる。この場合、内蓋２５の下面において、リブ３２の内側に溝部３３を設けているので、内蓋２５の下面の水が第３のリップ４３側へ一層進み難くなる。
【００２７】
内蓋２５において、パッキン２４の第１のリップ４１と第２のリップ４２とに接触する付近に位置させて水返し部３１を設けているので、内蓋２５とパッキン２４との間の接触部に水が浸入したとしても、上記水返し部３１により水の勢いが弱められ、水がそれ以上浸入することが規制されるようになる。
【００２８】
ドラム１１の胴部１３において、パッキン２４の各リップ４１〜４３と内蓋２５との接触部に対応する部分には脱水孔を形成せず、その接触部の内側と外側の双方に脱水孔１５，１６を形成する構成としたので、胴部１３の脱水孔１５，１６から出た水が、パッキン２４の各リップ４１〜４３と内蓋２５との接触部に直接当たり難くなるため、その接触部に水が浸入し難くなる。
【００２９】
本発明は、上記した実施例にのみ限定されるものではなく、次のように変形または拡張できる。
パッキン２４のリップは、３段に限られず、２段、或いは４段以上としてもよい。
【図面の簡単な説明】
【００３０】
【図１】本発明の一実施例を示すもので、内蓋を閉鎖した状態での要部の縦断面図
【図２】内蓋を少し開けた状態での要部の縦断面図
【図３】外箱及びトップカバーを取り除き、かつ内蓋を開いた状態で示す要部の斜視図
【図４】ドラム式洗濯機の外観斜視図
【符号の説明】
【００３１】
３は外箱、４はトップカバー、６は洗濯蓋、１０は水槽、１１はドラム、１２は軸、１３は胴部、１３ａは接触部に対応する部分、１５，１６は脱水孔、１８はドラム蓋、２２は開口部、２３はパッキン取付枠、２４はパッキン、２５は内蓋、３１は水返し部、３２はリブ、３４は第１の被接触面、３５は第２の被接触面、３６は第３の被接触面、４１は第１のリップ、４２は第２のリップ、４３は第３のリップ、４３ａは先端部を示す。
【図１】
0003692139.tif 000002
【図２】
0003692139.tif 000003
【図３】
0003692139.tif 000004
【図４】
0003692139.tif 000005